(57)【要約】【課題】本発明は、多方向からの操作が可能な多方向入力部材の操作性を向上させて、高精度な入力が可能な多方向入力装置を提供すること。【解決手段】本発明の多方向入力装置は、回転操作により入力可能な中空部４ａを有する第１の入力部材３と、多方向からの操作により入力可能な第２の入力部材８とを備え、第１の入力部材３は、回転操作可能な第１の操作部材１２に連結され、この第１の操作部材１２は、第２の入力部材８を収納可能な空洞部１２ｄを形成し、第２の入力部材８は、回動操作可能な第２の操作部材１３に連結され、第２入力部材８を第１の入力部材３より上方に位置させると共に、第１操作部材１２の空洞部１２ｄの上部を開放する開口部１２ｅから第２の操作部材１３を露出させたこと。【選択図】　　　　図１
2004014158.tif 000002
【特許請求の範囲】
【請求項１】
回転操作により入力可能な回転軸心方向に中空部を有する第１の入力部材と、多方向からの操作により入力可能な第２の入力部材とを備え、前記第１の入力部材は、回転操作可能な第１の操作部材に連結され、この第１の操作部材は、前記第２の入力部材を収納可能な空洞部を形成し、前記第２の入力部材は、多方向からの操作が可能な第２の操作部材に連結され、
前記第２入力部材を前記第１の入力部材より上方に位置させると共に、前記第１操作部材の前記空洞部の上部を開放する開口部から前記第２の操作部材を露出させたことを特徴とする多方向入力装置。
【請求項２】
前記第１の入力部材の前記中空部にスペーサ部材を配設し、このスペーサ部材は、一端部側が前記中空部より上方に突出して配置され、前記スペーサ部材の前記一端部側に前記第２の入力部材を取り付けたことを特徴とする請求項１記載の多方向入力装置。
【請求項３】
前記第２の入力部材は、前記第２の操作部材に連結する操作軸を有し、前記第１の操作部材の前記開口部から露出する前記第２の操作部材を回動操作することにより前記操作軸が傾倒するようにしたことを特徴とする請求項１、または２記載の多方向入力装置。
【請求項４】
前記第１の操作部材は、前記回転操作および押圧操作が可能とし、前記第１の入力部材の外周部に第３の入力部材を配設し、この第３の入力部材は、前記第１の操作部材の前記押圧操作により入力可能としたことを特徴とする請求項１乃至３記載のいずれか１項記載の多方向入力装置。
【請求項５】
前記第１の操作部材は、前記スペーサ部材の前記一端部側にガイドされて、前記回転操作および前記押圧操作が可能になっていることを特徴とする請求項４記載の多方向入力装置。
【請求項６】
前記第１、第３の入力部材、および前記第２の入力部材を取り付けた前記スペーサ部材を同一の回路基板に取り付けたことを特徴とする請求項４、または５記載の多方向入力装置。
【請求項７】
前記第２の操作部材は、透明材料あるいは半透明材料からなり、前記第２の操作部材の下方側で前記第２の入力部材を取り付けた近傍に照光部材を配設したことを特徴とする請求項１乃至６記載のいずれか１項記載の多方向入力装置。
【発明の詳細な説明】
【０００１】
【発明の属する技術分野】
本発明は、多方向入力装置に係り、特に、ホーム用や車載用の各種電子機器などに使用される多方向入力可能な多方向入力装置に関する。
【０００２】
【従来の技術】
ホーム用及び車載用の各種電子機器などに使用される従来の多方向入力装置３１は、図３に示すように、電子機器（図示せず）側の回路基板３２に取り付けられている。この回路基板３２に取り付けた従来の多方向入力装置３１は、例えばロータリースイッチ３３と、このロータリスイッチ３３の中空内部には、多方向入力スイッチ３４が配設されている。
前記多方向入力スイッチ３４は、ケース３４ａから垂直方向に立設する操作軸３４ｂを有し、ケース３４ａ内部に位置する操作軸３４ｂの端部が、ケース３４ａ内部の基板（図示せず）に取り付けられている。そして、基板の操作軸３４ｂを取り付けた周囲の４方向に４個スイッチ（図示せず）が取り付けられている。
そして、後述する傾倒操作つまみ３８を矢印Ａ方向に回動させると、操作軸３４ｂが傾倒して、傾倒方向に配置されたスイッチがＯＮして、操作軸の傾倒方向を検知可能になっている。
【０００３】
また、ロータリースイッチ３３の外周側には、検出スイッチ３５が配設されており、この検出スイッチ３５は、操作レバー３５ａを押圧操作することによりスイッチＯＮするようになっている。
また、ロータリースイッチ３３の上部には、円環状の回転板３６が配設されており、この回転板３６は、回転可能で且つ上下動可能になっている。
また、回転板３６には、この回転板３６を回転操作、および上下動操作可能な外形が円形状の回転操作つまみ３７が取り付けられている。この回転操作つまみ３７は、操作者が把持可能な外形が円形状で厚さ寸法Ｔの操作部３７ａと、この操作部３７ａの内部に空洞部３７ｂとが形成され、空洞部３７ｂの上方が開放されて開口部３７ｃが形成されている。
【０００４】
また、多方向入力スイッチ３４の操作軸３４ａには、傾倒操作つまみ３８が取り付けられており、この傾倒操作つまみ３８は、操作軸３４ｂに圧入等で連結するための長尺状で棒状の連結部３８ａと、この連結部３８ａの上部側に操作部３８ｂが形成されている。
また、傾倒操作つまみ３８は、操作部３８ｂが回転操作つまみ３７の開口部３７ｃから露出して、断面形状が略Ｔ字状に形成されている。
そして、傾倒操作つまみ３８は、操作軸３４ｂを支点として操作部３８ｂを矢印Ａ方向に回動操作すると、操作軸３４ｂが操作部３８ｂの回動量に対応して傾倒して、傾倒方向に配置したスイッチがＯＮするようになっている。
【０００５】
このような構成の従来の多方向入力装置３１の操作は、回転操作つまみ３７を回転操作すると、回転板３６を介してロータリスイッチ３３の可動接点（図示せず）が回転してスイッチ回路を切り換えるようになっている。
また、回転操作つまみ３７を押圧操作して下方に降下させると、回転板３６の同時に降下して、検出スイッチ３５がＯＮされる。
また、傾倒操作つまみ３８の操作部３８ｂを、矢印Ａ方向に回動操作することにより、この回動に連動して操作軸３４ｂが傾倒し、ケース３４ａ内部の基板に取り付けたスイッチＯＮして、操作軸３４ｂの傾倒方向が検出されるようになっている。
そして、多方向入力スイッチ３４は、操作軸３４ｂの傾倒量が大きいほど、確実にスイッチをＯＮさせることができるので、傾倒操作つまみ３７の矢印Ａ方向の回動量は大きな方が良い。
【０００６】
このような構成の従来の多方向入力装置３１においては、電子機器側の回路基板３２にロータリースイッチ３３、多方向入力スイッチ３４、検出スイッチ３５を取り付けていた。
また、回転操作つまみ３７は、操作者が把持しやすいような厚さ寸法Ｔに厚くしていたので、傾倒操作つまみ３８の連結部３８ａの長さが長くなっていた。
あるいは、操作者の操作性を考慮して、回転操作つまみ３７の回路基板３２からの取り付け高さを高くすることもある。このような回路基板３２から回転操作つまみ３７までの高さが高くなっても、多方向入力スイッチ３４の取り付け高さは変わらないので、傾倒操作つまみ３８の連結部３８ａの長さが、更に長くなっていた。
【０００７】
【発明が解決しようとする課題】
しかしながら、上述した従来の多方向入力装置３１においては、傾倒操作つまみ３８の連結部３８ａの長さが長くなればなるほど、傾倒操作つまみ３８の操作部３８ｂの矢印Ａ方向の回動量を大きくしないと、多方向入力スイッチ３４の操作軸３４ｂの傾倒量を大きくできなかったので操作性が悪くなる問題があった。
また、操作軸４ｂの傾倒量を大きくするためには、回転操作つまみ３７の開口部３７ｃを大きくしなければならず、多方向入力装置３１が大型になる問題があった。
また、操作部がロール状あるいはボール状の多方向入力スイッチ（図示せず）用いる場合は、回路基板３２からロール状あるいはボール状操作部までの高さが低いために、操作部を開口部３７ｃから露出させることができず、操作できなくなる問題があった。
【０００８】
本発明は前述したような問題点に鑑みてなされたもので、多方向からの操作が可能な多方向入力部材の操作性を向上させて、高精度な入力が可能な多方向入力装置を提供することを目的とする。
【０００９】
【課題を解決するための手段】
上記課題を解決するための第１の解決手段として本発明の多方向入力装置は、回転操作により入力可能な回転軸心方向に中空部を有する第１の入力部材と、多方向からの操作により入力可能な第２の入力部材とを備え、前記第１の入力部材は、回転操作可能な第１の操作部材に連結され、この第１の操作部材は、前記第２の入力部材を収納可能な空洞部を形成し、前記第２の入力部材は、前記多方向からの操作が可能な第２の操作部材に連結され、
前記第２入力部材を前記第１の入力部材より上方に位置させると共に、前記第１操作部材の前記空洞部の上部を開放する開口部から前記第２の操作部材を露出させたことを特徴とする。
【００１０】
また、上記課題を解決するための第２の解決手段として、前記第１の入力部材の前記中空部にスペーサ部材を配設し、このスペーサ部材は、一端部側が前記中空部より上方に突出して配置され、前記スペーサ部材の前記一端部側に前記第２の入力部材を取り付けたことを特徴とする。
【００１１】
また、上記課題を解決するための第３の解決手段として、前記第２の入力部材は、前記第２の操作部材に連結する操作軸を有し、前記第１の操作部材の前記開口部から露出する前記第２の操作部材を回動操作することにより前記操作軸が傾倒するようにしたことを特徴とする。
【００１２】
また、上記課題を解決するための第４の解決手段として、前記第１の操作部材は、前記回転操作および押圧操作が可能とし、前記第１の入力部材の外周部に第３の入力部材を配設し、この第３の入力部材は、前記第１の操作部材の前記押圧操作により入力可能としたことを特徴とする。
【００１３】
また、上記課題を解決するための第５の解決手段として、前記第１の操作部材は、前記スペーサ部材の前記一端部側にガイドされて、前記回転操作および前記押圧操作が可能になっていることを特徴とする。
【００１４】
また、上記課題を解決するための第６の解決手段として、前記第１、第３の入力部材、および前記第２の入力部材を取り付けた前記スペーサ部材を同一の回路基板に取り付けたことを特徴とする。
【００１５】
また、上記課題を解決するための第７の解決手段として、前記第２の操作部材は、透明材料あるいは半透明材料からなり、前記第２の操作部材の下方側で前記第２の入力部材を取り付けた近傍に照光部材を配設したこと特徴とする。
【００１６】
【発明の実施の形態】
以下、本発明の一実施の形態を図１、図２に示す。図１は本発明に関する多方向入力装置の要部断面図であり、図２は本発明に関する多方向入力装置の分解斜視図である。
まず、本発明の多方向入力装置１は、電子機器、例えば車載用のカーナビゲーション（図示せず）等を操作する操作部の回路基板２に取り付けられている。
【００１７】
この回路基板２に取り付けた本発明の多方向入力装置１は、例えばロータリーエンコーダからなる略円筒状の第１の入力部材３が配設されている。この第１の入力部材３は、回転可能な円筒状の回転体４と、この回転体４を回転可能に軸支するケース部材５とからなっている。
前記回転体４は、回転軸心方向に中空部４ａが形成され、外周面の円周方向にＮ極、Ｓ極からなる複数の磁極が分割形成されている。また、回転体４の外周部には、上下方向に複数の凸条部４ｂが所定の高さと幅寸法で形成されている。
また、回転体４を軸支するケース部材５は、内部にホール素子（図示せず）が配設され、回転体４の回転角度を検出可能になっている。
【００１８】
また、第１の入力部材３の中空部４ａ内の回路基板２上には、径寸法が異なる２つの筒状の第１、第２支持部６ａ、６ｂを有する所定高さのスペーサ部材６が配設されている。
このスペーサ部材６は、径寸法の小さな筒状の第１支持部６ａが中空部４ａ内に位置し、この第１支持部６ａの一端部側が、中空部４ａより上方に突出した状態になっており、この中空部４ａから突出した一端部側に、第１支持部６ａより径寸法の大きな筒状の第２支持部６ｂが形成されている。
【００１９】
また、第２支持部６ｂの筒状内部で、第１支持部６ａの一端部側には、取付板７を介して第２の入力部材８が取り付けられている。即ち、第１の入力部材３より上方に第２の入力部材８が配設されている。
前記第２の入力部材８は、多方向からの操作により入力可能とされ、ケース部材８ａとこのケース部材８ａから垂直方向の上方側に立設する柱状の操作軸８ｂとを有している。
そして、ケース部材８ａ内部に位置する操作軸８ｂの一端部が、操作軸８ｂと直交する方向に配設した板状で弾性変形可能な基台（図示せず）に固着されている。
【００２０】
そして、ケース部材８ａ内部の基台は、例えば操作軸８ｂを固着した固着部分を中心と四方の表面、または裏面のいずれか一方の面に、基台の歪みを検出可能な４個の歪み検出センサ（図示せず）が接着剤等により取り付けられている。
このような第２の入力部材８は、例えば操作軸８ｂを任意の方向（多方向）に所定量傾倒操作することにより基台が歪み、この基台の歪み量を４個の歪みセンサが検出し、この検出信号が制御部（図示せず）に出力されるようになっている。
また、ケース部材８ａ内部の基台の下部には、スイッチ部材（図示せず）が配設されており、操作軸８ｂを押圧操作することにより、基台が下方に撓んで下部のスイッチ部材の回路を切り換えるようになっている。
【００２１】
また、第１の入力部材３を取り付けた外周側の４方向の回路基板２には、押圧操作により入力可能な、例えば検出スイッチからなる第３の入力部材９が配設されている。
この第３の入力部材９は、ケース９ａとこのケース９ａ内部のスイッチ回路を切り換え可能な操作レバー９ｂとを有し、この操作レバー９ｂは、内部に配設した弾性部材（図示せず）により常に上方側に弾性付勢されている。
【００２２】
また、第１の入力部材３の回転体４の外周部には、回転体４に回転伝達可能な円環状の第１の回転板１０が配設され、この第１の回転板１０は、回転体４の外周部にガイドされて昇降自在になっている。
前記第１の回転板１０は、内周側に所定の直径と高さ寸法のボス部１０ａが形成され、このボス部１０ａの内周側には、第１の入力部材３の回転体４が挿通可能な貫通穴１０ｂが形成されている。
また、貫通穴１０ｂの内周面の一部には、図示上下方向にキー溝状のガイド溝（図示せず）が形成され、回転体４に形成した凸条部４ｂにガイド溝を係合させることにより、回転体４に第１の回転板１０が昇降自在に支持されると共に、第１の回転板１０が回転することにより、回転体４も追従して回転するようになっている。
【００２３】
また、第１の回転板１０には、外周部寄りの下面に第２の回転板１１がネジ止め等で取り付けられている。この第２の回転板１１には、第３の入力部材９の操作レバー９ｂが弾性付勢している。
また、第１の入力部材３には、回転体４に上下動自在に支持される第１の回転体１０を介して第１の操作部材１２が連結されている。この第１の操作部材１２は、樹脂材料等からなり、操作者が把持可能な略円形状の操作部１２ａが形成されている。
この操作部１２ａの外周部で上部のコーナ部には、面取り状の傾斜面が形成され、この傾斜面に、複数のＵ字状の溝からなる滑り止め部１２ｂが形成されており、操作者が操作部１２ａを把持して回転操作するときの滑り止めになっている。
【００２４】
また、第１の操作部材１２には、操作部１２ａの外径寸法より小さい連結部１２ｃが図示下方側に延出形成されている。
そして、連結部１２ｃから操作部１２ａにかけた内部に、下方が開放された所定深さの空洞部１２ｄが形成され、この空洞部１２ｄにスペーサ部材６の一端部側である第２の支持部６ｂが挿入可能になっている。
このような第１の操作部材１２は、空洞部１２ｄにスペーサ部材６の第２支持部６ｂを挿入することにより、第２支持部６ｂに空洞部１２ｄがガイドされて、回転および昇降自在になっている。
【００２５】
即ち、第１の操作部材１２は、スペーサ部材６の一端部側である第２支持部６ｂにガイドされて、回転操作および押圧操作が可能になっている。
また、空洞部１２ｄは、上方が開放されて開口部１２ｅが形成され、この開口部１２ｅに後述する第２の操作部材１５が位置すると共に、開口部１２ｅから上方に露出するようになっている。
また、第１の操作部材１２は、連結部１２ｃの下端部が第１の回転板１０がネジ止め等で取り付けられて、一体化されている。
【００２６】
そのために、第１の操作部材１２を矢印Ｂ方向に回転操作すると、回転体４が第１の回転板１０を介して回転するようになっている。
また、第１の操作部材１２を矢印Ｃ方向に押圧操作して降下させると、第１、第２の回転板１３、１４を介して第３の入力部材９の操作レバー９ｂが押圧して内部のスイッチがＯＮするようになっている
【００２７】
また、スペーサ部材６の一端部側である第２支持部６ｂ側に取り付けた第２の入力部材８の操作軸８ｂには、外形が椀状で内部がドーム状の空洞になった第２の操作部材１３が連結されて取り付けられている。
この第２の操作部材１３は、透明、または所望の色に着色された半透明の樹脂材料で形成されている。
そして、第２の操作部材１３は、天井部分を含む椀状の外周部側が操作部１３ａとなっている。また、操作部１３ａのドーム状の空洞内部の天井部からは、下方に向けて突出する棒状の連結部１３ｂが形成されている。
また、ドーム状の操作部１３ａの下方側の外周部には、所定の厚さと寸法で外方に突出する鍔部１３ｃが形成されている。
【００２８】
そして、連結部１３ｂを第２入力部材８の操作軸８ｂに圧入等で取り付けることにより、第２の入力部材８に第２の操作部材１３が連結されている。このような第２の入力部材８に連結した第２の操作部材１３は、操作軸８ｂを支点として操作部１３ａを矢印Ｄの任意の方向（多方向）に回動操作すると、この回動量に対応して操作軸８ｂが同方向に傾倒するようになっている。
また、第２の操作部材１３の下方側で、第２の入力部材８を取り付けた近傍には、ＬＥＤ等からなる照光部材１４が配設されている。
このような構成の本発明の多方向入力装置１は、各種の電子機器、例えば車載用のカーナビゲーション等の回路基板２にネジ止めおよびハンダ付けで取り付けられている。
【００２９】
このような構成の本発明の多方向入力装置１の操作は、操作者が第１の操作部材１２を矢印Ｂ方向、または反対方向に回転操作すると、第１の回転板１０を介して第１の入力装置３の回転体４が回転する。この回転体４の回転をケース部材５内部のホール素子（図示せず）が検出することにより、検出信号が制御部（図示せず）に出力され、回転体４の回転角度が検出される。
そして、この回転体４の回転角度に対応して、例えばカーナビゲーション等のディスプレーに表示されたメニュウ等を選択できるようになっている。
また、第１の操作部材１２を矢印Ｃ方向に押圧操作して下方に降下させると、第１、第２の回転板１０、１１を介して第３の入力部材９の操作レバー９ｂが押圧される。
このことにより、第３の入力部材９のスイッチ回路が切り替わり、選択したメニュウを決定できるようになっている。
【００３０】
また、第２の操作部材１３を矢印Ｄ方向に回動操作すると、操作軸８ｂが傾倒し、ケース部材８ａ内部の基台（図示せず）が歪む。この基台の歪み量を４個の歪みセンサ（図示せず）が検出して、検出信号が制御部（図示せず）に出力される。この検出信号により操作軸８ｂの傾倒方向および傾倒量が制御部で検出され、例えばカーナビゲーション等のディスプレーに表示される画面をスクロール等できるようになっている。あるいは、カーソル等を操作軸８ｂの傾倒方向に移動させることができる。
その後、第２の操作部材１３を押圧操作すると、ケース部材８ａ内部のスイッチ部材（図示せず）がＯＮして、移動させたカーソルを決定することができるようになっている。
また、周囲が暗くなった夜間等に操作するときは、照光部材１４を点灯することにより、照光部材１３の光が、透明あるいは半透明の第２の操作部材１３を透過して、夜間等でも第１、第２の操作部材１２、１３の操作性を向上させることができる。
【００３１】
このような本発明の多方向入力装置１は、第２の入力部材８が第１の入力部材３より上方に位置させているので、第１の操作部材１２の開口部１２ｅから第２の入力部材８までの距離を小さくできる。
そのために、操作軸８ｂを支点として回動する第２の操作部材１３の回動量を大きくすることができ、第２の入力部材８の操作軸８ｂの傾倒量を大きくすることができる。
このような、操作軸８ｂの傾倒量が大きくなることにより、第２入力部材８の入力を高精度に行うことができる。
また、スペーサ部材６の第１支持部６ａを、回転体４より更に上方に突出させることにより、第２操作部材１３の矢印Ｄ方向の回動量が小さくても、操作軸８ｂの傾倒量を大きくすることができ、第２の入力部材８の操作性を更に向上することができる。
【００３２】
本発明の実施の形態の説明では、第２の入力部材８を、歪みセンサを用いたもので説明したが、基台の４方向の面上に４個のスイッチを取り付けて、操作軸８ｂを４方向のいずれか１方向に傾倒させることにより、いずれか１個のスイッチ回路を切り換えて、操作軸８ｂの傾倒方向を検出するようにしたものでも良い。
また、本発明に係わる第２の操作部材１３は、操作軸８ｂを支点として回動するもので説明したが、回転操作可能なロール状、あるいはボール状の操作部材（図示せず）を備え、この操作部材の回転数等を検出することにより入力可能とした多方向入力部材でも良い。
【００３３】
このような操作部材がロール状あるいはボール状の多方向入力部材（図示せず）は、入力部から操作部材までの高さが低くいが、スペーサ部材６の第１支持部６ａの高さを調整することにより、操作部材を第１の操作部材１２の開口部１２ｅから露出させることができる。
【００３４】
また、本発明の実施の形態の説明では、第１の入力部材３を、ロータリーエンコーダ等の非接触式のの回転検出機構で説明したが、第１の入力部材３は、摺動子と導体パターンとを摺接させる接触式の回転検出機構でも良く、例えば第１の操作部材１２の回転角度を検出可能なロータリースイッチ（図示せず）で構成することも可能である。
【００３５】
【発明の効果】
以上説明したように、本発明の多方向入力装置は、第２入力部材を第１の入力部材より上方に位置させると共に、第１操作部材の空洞部の上部を開放する開口部から第２の操作部材を露出させたので、第２の入力部材から開口部までを距離を小さくすることができ、第２の操作部材の操作量を大きくすることができ、操作性の良い多方向入力装置を提供できる。
また、第２の入力部材の操作部材がロール状あるいはボール状のものでも、第２入力部材を第１の入力部材より上方に位置させることにより、操作部材を開口部から露出させて、確実に操作することができる。
【００３６】
また、第１の入力部材の中空部にスペーサ部材を配設し、このスペーサ部材は、一端部側が中空部より上方に突出して配置され、スペーサ部材の一端部側に第２の入力部材を取り付けたので、スペーサ部材の長さを調整することにより、第２の入力部材から開口部までの距離を、更に小さくすることができ、更に操作性を良くすることができる。
【００３７】
また、第２の入力部材は、第２の操作部材に連結する操作軸を有し、第１の操作部材の開口部から露出する第２の操作部材を回動操作することにより操作軸が傾倒するようにしたので、操作軸の傾倒量を大きくすることができ、操作性の良い多方向入力装置を提供できる。
【００３８】
また、第１の操作部材は、回転操作および押圧操作が可能とし、第１の入力部材の外周部に第３の入力部材を配設し、この第３の入力部材は、第１の操作部材の押圧操作により入力可能としたので、第１の入力部材を回転操作する第１の操作部材で第３の入力部材も入力でき、部品点数を少なくすることができる。
【００３９】
また、第１の操作部材は、スペーサ部材の一端部側にガイドされて、回転操作および押圧操作が可能になっているので、第１の操作部材をガタ付きなく操作することができ、第１の操作部材の操作性が良い。
【００４０】
また、第１、第３の入力部材、および第２入力部材を取り付けたスペーサ部材を同一の回路基板に取り付けたので、組立性の良い多方向入力装置を提供できる。
【００４１】
また、第２の操作部材は、透明材料あるいは半透明材料からなり、第２の操作部材の下方側で第２の入力部材を取り付けた近傍に照光部材を配設したので、夜間でも確実に第１、第２の操作部材を操作することができる。
【図面の簡単な説明】
【図１】本発明に関する多方向入力装置の要部断面図である。
【図２】本発明に関する多方向入力装置の分解斜視図である。
【図３】従来の多方向入力装置の要部断面図である。
【符号の説明】
１　多方向入力装置
２　回路基板
３　第１の入力部材
４　回転体
４ａ　中空部
５　ケース部材
６　スペーサ部材
６ａ　第１支持部
６ｂ　第２支持部
７　取付板
８　第２の入力部材
８ｂ　操作軸
９　第３の入力部材
１０　第１の回転板
１１　第２の回転板
１２　第１の操作部材
１２ａ　操作部
１２ｂ　滑り止め部
１２ｃ　連結部
１２ｄ　空洞部
１３　第２の操作部材
１３ａ　操作部
１３ｂ　連結部
１３ｃ　鍔部
１４　照光部材
【図１】
2004014158.tif 000003
【図２】
2004014158.tif 000004
【図３】
2004014158.tif 000005